【手続補正書】
【提出日】平成25年12月17日(2013.12.17)
【手続補正１】
【補正対象書類名】特許請求の範囲
【補正対象項目名】全文
【補正方法】変更
【補正の内容】
【特許請求の範囲】
【請求項１】
表示装置の画面中の位置を入力する位置入力手段と、
前記位置入力手段によって入力された入力位置の軌跡に応じて図形を描画する描画手段と、
前記位置入力手段による１回の入力の開始位置を基準とする所定の領域が、前記描画手段により既に描画された図形に予め設定された領域と所定以上の重なりを有するか否かを判定する第１の判定手段と、
前記第１の判定手段により前記開始位置を基準とする所定の領域が前記予め設定された領域と所定以上の重なりを有さないと判定された場合に、前記入力による入力位置の軌跡に応じて前記描画手段による図形の描画が行われるように制御し、前記第１の判定手段により前記開始位置を基準とする所定の領域が前記予め設定された領域と所定以上の重なりを有すると判定された場合に、前記入力による入力位置の軌跡に応じて前記予め設定された領域が所定以上の重なりを有する前記既に描画された図形を消去するように制御する制御手段と、
を備えることを特徴とする表示制御装置。
【請求項２】
前記位置入力手段による１回の入力が継続している間、当該入力がなされている位置を基準とする所定の領域が前記既に描画された図形に予め設定された領域と所定以上の重なりを有するか否かを判定する第２の判定手段をさらに備え、
前記制御手段は、前記第１の判定手段により前記開始位置を基準とする所定の領域が前記予め設定された領域と所定以上の重なりを有さないと判定され、かつ、前記第２の判定手段により前記入力がなされている位置を基準とする所定の領域が前記予め設定された領域と所定以上の重なりを有すると判定された場合に、前記入力がなされている位置には前記描画手段による図形の描画が行われないように制御する
ことを特徴とする請求項１に記載の表示制御装置。
【請求項３】
前記位置入力手段による１回の入力が継続している間、当該入力がなされている位置を基準とする所定の領域が前記予め設定された領域と所定以上の重なりを有するか否かを判定する第２の判定手段をさらに備え、
前記制御手段は、前記第１の判定手段により前記開始位置を基準とする所定の領域が前記予め設定された領域と所定以上の重なりを有さないと判定され、かつ、前記第２の判定手段により前記入力がなされている位置を基準とする所定の領域が前記予め設定された領域と所定以上の重なりを有すると判定された場合に、該予め設定された領域が所定以上の重なりを有する前記既に描画された図形を消去し、さらに前記入力がなされている位置に応じて前記描画手段による図形の描画が行われるように制御する
ことを特徴とする請求項１に記載の表示制御装置。
【請求項４】
表示装置の画面中の位置を入力する位置入力手段と、
前記位置入力手段によって入力された入力位置の軌跡に応じて図形を描画する描画手段と、
前記位置入力手段による１回の入力が継続している間、当該入力がなされている位置を基準とする所定の領域が、前記描画手段により既に描画された図形に予め設定された領域と所定以上の重なりを有するか否かを判定する第２の判定手段と、
前記第２の判定手段により前記入力がなされている位置を基準とする所定の領域が前記予め設定された領域と所定以上の重なりを有すると判定された場合に、前記描画手段による図形の描画が行われないように制御する制御手段と、
を備えることを特徴とする表示制御装置。
【請求項５】
前記描画手段により図形が描画された場合に、当該描画された図形を自動的に消去するまでの時間を設定する設定手段をさらに備え、
前記制御手段は、前記第２の判定手段により前記入力がなされている位置を基準とする所定の領域が前記予め設定された領域と所定以上の重なりを有さないと判定された場合に、該予め設定された領域が所定以上の重なりを有する前記既に描画された図形に設定された自動的に消去するまでの時間を前記設定手段に再設定させるように制御することを特徴とする請求項２または４に記載の表示制御装置。
【請求項６】
前記設定手段により設定される前記描画された図形を自動的に消去するまでの時間は、描画される図形の種類のそれぞれについて予め設定された時間であることを特徴とする請求項５に記載の表示制御装置。
【請求項７】
表示装置の画面中の位置を入力する位置入力手段と、
前記位置入力手段によって入力された入力位置の軌跡に応じて図形を描画する描画手段と、
前記位置入力手段による１回の入力が継続している間、当該入力がなされている位置を基準とする所定の領域が、前記描画手段により既に描画された図形に予め設定された領域と所定以上の重なりを有するか否かを判定する第２の判定手段と、
前記第２の判定手段により前記入力がなされている位置を基準とする所定の領域が前記予め設定された領域と所定以上の重なりを有すると判定された場合に、該予め設定された領域が所定以上の重なりを有する前記既に描画された図形を消去し、さらに前記入力がなされている位置に応じて前記描画手段による図形の描画が行われるように制御する制御手段と、
を備えることを特徴とする表示制御装置。
【請求項８】
前記位置入力手段による１回の入力が線分を描画するための入力であった場合、前記第２の判定手段による判定を行わないことを特徴とする請求項２乃至７のいずれか１項に記載の表示制御装置。
【請求項９】
被写体を撮像する撮像手段と、
前記撮像手段により撮像された動画像を記録する記録手段と、をさらに備え、
前記記録手段は、前記撮像手段により撮像された画像に前記描画手段による図形の描画がなされている場合は、当該図形と共に前記動画像を記録することを特徴とする請求項１乃至８のいずれか１項に記載の表示制御装置。
【請求項１０】
前記位置入力手段は、前記表示装置上に構成されたタッチパネルへの入力を検出することにより、前記画面中の位置を入力し、
前記１回の入力は、前記タッチパネルにタッチし始めてから離すまでの入力であることを特徴とする請求項１乃至９のいずれか１項に記載の表示制御装置。
【請求項１１】
表示装置の画面中の位置を入力する位置入力手段と、
前記位置入力手段によって入力された入力位置の軌跡に応じて図形を描画する描画手段と、
前記位置入力手段による１回の入力の開始位置を基準とする所定の領域が、前記描画手段により既に描画された図形に予め設定された領域と重なるか否かを判定する第１の判定手段と、
前記第１の判定手段により前記開始位置を基準とする所定の領域が前記予め設定された領域と重ならないと判定された場合に、前記入力による入力位置の軌跡に応じて前記描画手段による図形の描画が行われるように制御し、前記第１の判定手段により前記開始位置を基準とする所定の領域が前記予め設定された領域と重なる判定された場合に、前記入力による入力位置の軌跡に応じて、前記予め設定された領域が重なる前記既に描画された図形を消去するように制御する制御手段と、
を備えることを特徴とする表示制御装置。
【請求項１２】
表示装置の画面中の位置を入力する位置入力手段と、
前記位置入力手段によって入力された入力位置の軌跡に応じて図形を描画する描画手段と、
前記位置入力手段による１回の入力が継続している間、当該入力がなされている位置を基準とする所定の領域が、前記描画手段により既に描画された図形に予め設定された領域と重なるか否かを判定する第２の判定手段と、
前記第２の判定手段により前記入力がなされている位置を基準とする所定の領域が前記予め設定された領域と重なると判定された場合に、前記描画手段による描画が行われないように制御する制御手段と、
を備えることを特徴とする表示制御装置。
【請求項１３】
位置入力手段が、表示装置の画面中の位置を入力する位置入力工程と、
描画手段が、前記位置入力工程において入力された入力位置の軌跡に応じて図形を描画する描画工程と、
第１の判定手段が、前記位置入力工程における１回の入力の開始位置を基準とする所定の領域が、前記描画工程において既に描画された図形に予め設定された領域と所定以上の重なりを有するか否かを判定する第１の判定工程と、
制御手段が、前記第１の判定工程において前記開始位置を基準とする所定の領域が前記予め設定された領域と所定以上の重なりを有さないと判定された場合に、前記入力による入力位置の軌跡に応じて前記描画工程において図形の描画が行われるように制御し、前記第１の判定工程において前記開始位置を基準とする所定の領域が前記予め設定された領域と所定以上の重なりを有すると判定された場合に、前記入力による入力位置の軌跡に応じて前記予め設定された領域が所定以上の重なりを有する前記既に描画された図形を消去するように制御する制御工程と、
を備えることを特徴とする表示制御装置の制御方法。
【請求項１４】
位置入力手段が、表示装置の画面中の位置を入力する位置入力工程と、
描画手段が、前記位置入力工程において入力された入力位置の軌跡に応じて図形を描画する描画工程と、
第２の判定手段が、前記位置入力工程における１回の入力が継続している間、当該入力がなされている位置を基準とする所定の領域が、前記描画工程において既に描画された図形に予め設定された領域と所定以上の重なりを有するか否かを判定する第２の判定工程と、
制御手段が、前記第２の判定工程において前記入力がなされている位置を基準とする所定の領域が前記予め設定された領域と所定以上の重なりを有すると判定された場合に、前記描画工程における図形の描画が行われないように制御する制御工程と、
を備えることを特徴とする表示制御装置の制御方法。
【請求項１５】
位置入力手段が、表示装置の画面中の位置を入力する位置入力工程と、
描画手段が、前記位置入力工程において入力された入力位置の軌跡に応じて図形を描画する描画工程と、
第２の判定手段が、前記位置入力工程における１回の入力が継続している間、当該入力がなされている位置を基準とする所定の領域が、前記描画工程において既に描画された図形に予め設定された領域と所定以上の重なりを有するか否かを判定する第２の判定工程と、
制御手段が、前記第２の判定工程において前記入力がなされている位置を基準とする所定の領域が前記予め設定された領域と所定以上の重なりを有すると判定された場合に、該予め設定された領域が所定以上の重なりを有する前記既に描画された図形を消去し、さらに前記入力がなされている位置に応じて前記描画工程における図形が描画を行われるように制御する制御工程と、
を備えることを特徴とする表示制御装置の制御方法。
【請求項１６】
位置入力手段が、表示装置の画面中の位置を入力する位置入力工程と、
描画手段が、前記位置入力工程において入力された入力位置の軌跡に応じて図形を描画する描画工程と、
第１の判定手段が、前記位置入力工程において１回の入力の開始位置を基準とする所定の領域が、前記描画工程において既に描画された図形に予め設定された領域と重なるか否かを判定する第１の判定工程と、
制御手段が、前記第１の判定工程において前記開始位置を基準とする所定の領域が前記予め設定された領域と重ならないと判定された場合に、前記入力による入力位置の軌跡に応じて前記描画工程において図形の描画が行われるように制御し、前記第１の判定工程において前記開始位置を基準とする所定の領域が前記予め設定された領域と重なる判定された場合に、前記入力による入力位置の軌跡に応じて、前記予め設定された領域が重なる前記既に描画された図形を消去するように制御する制御工程と、
を備えることを特徴とする表示制御装置の制御方法。
【請求項１７】
位置入力手段が、表示装置の画面中の位置を入力する位置入力工程と、
描画手段が、前記位置入力工程において入力された入力位置の軌跡に応じて図形を描画する描画工程と、
第２の判定手段が、前記位置入力工程において１回の入力が継続している間、当該入力がなされている位置を基準とする所定の領域が、前記描画工程において既に描画された図形に予め設定された領域と重なるか否かを判定する第２の判定工程と、
制御手段が、前記第２の判定工程において前記入力がなされている位置を基準とする所定の領域が前記予め設定された領域と重なると判定された場合に、前記描画工程における描画が行われないように制御する制御工程と、
を備えることを特徴とする表示制御装置の制御方法。
【請求項１８】
コンピュータを、請求項１乃至１２のいずれか１項に記載の表示制御装置の各手段として機能させるためのプログラム。
【請求項１９】
コンピュータを、請求項１乃至１２のいずれか１項に記載の表示制御装置の各手段として機能させるためのプログラムを記録した、コンピュータが読み取り可能な記録媒体。
【手続補正２】
【補正対象書類名】明細書
【補正対象項目名】００１１
【補正方法】変更
【補正の内容】
【００１１】
前述の目的を達成するために、本発明の第１の側面に係る表示制御装置は、以下の構成を備える。
表示装置の画面中の位置を入力する位置入力手段と、位置入力手段によって入力された入力位置の軌跡に応じて図形を描画する描画手段と、位置入力手段による１回の入力の開始位置を基準とする所定の領域が、描画手段により既に描画された図形に予め設定された領域と所定以上の重なりを有するか否かを判定する第１の判定手段と、第１の判定手段により開始位置を基準とする所定の領域が予め設定された領域と所定以上の重なりを有さないと判定された場合に、入力による入力位置の軌跡に応じて描画手段による図形の描画が行われるように制御し、第１の判定手段により開始位置を基準とする所定の領域が予め設定された領域と所定以上の重なりを有すると判定された場合に、入力による入力位置の軌跡に応じて予め設定された領域が所定以上の重なりを有する既に描画された図形を消去するように制御する制御手段と、を備えることを特徴とする。
【手続補正３】
【補正対象書類名】明細書
【補正対象項目名】００１２
【補正方法】変更
【補正の内容】
【００１２】
また、本発明の第２の側面に係る表示制御装置は、以下の構成を備える。
表示装置の画面中の位置を入力する位置入力手段と、位置入力手段によって入力された入力位置の軌跡に応じて図形を描画する描画手段と、位置入力手段による１回の入力が継続している間、当該入力がなされている位置を基準とする所定の領域が、描画手段により既に描画された図形に予め設定された領域と所定以上の重なりを有するか否かを判定する第２の判定手段と、第２の判定手段により入力がなされている位置を基準とする所定の領域が予め設定された領域と所定以上の重なりを有すると判定された場合に、描画手段による図形の描画が行われないように制御する制御手段と、を備えることを特徴とする。
【手続補正４】
【補正対象書類名】明細書
【補正対象項目名】００１３
【補正方法】変更
【補正の内容】
【００１３】
また、本発明の第３の側面に係る表示制御装置は、以下の構成を備える。
表示装置の画面中の位置を入力する位置入力手段と、位置入力手段によって入力された入力位置の軌跡に応じて図形を描画する描画手段と、位置入力手段による１回の入力が継続している間、当該入力がなされている位置を基準とする所定の領域が、描画手段により既に描画された図形に予め設定された領域と所定以上の重なりを有するか否かを判定する第２の判定手段と、第２の判定手段により入力がなされている位置を基準とする所定の領域が予め設定された領域と所定以上の重なりを有すると判定された場合に、該予め設定された領域が所定以上の重なりを有する既に描画された図形を消去し、さらに入力がなされている位置に応じて描画手段による図形の描画が行われるように制御する制御手段と、を備えることを特徴とする。